(57)【特許請求の範囲】
【請求項１】
アイシールド用フレームに単一枚を着脱可能に取り付けて装用者の顔面の上部を覆う弾性を有する透明樹脂板から成るアイシールド用シートであって、左右両端上縁寄りの左右対称の位置に、それぞれ２つの貫通孔と両貫通孔に跨るスリットとを設けたことを特徴とするアイシールド用シート。
【請求項２】
弾性を有する棒状体を装用者の頭部に固定可能な略コの字型に形成してなり、装用者の両こめかみの位置においてそれぞれ前記２つの貫通孔とスリットに嵌合する内側向きの湾曲部を設けたことを特徴とするアイシールド用フレームと、請求項１に記載のアイシールド用シートから構成されるアイシールド。
【請求項３】
請求項１に記載のアイシールド用シートを前記アイシールド用フレームに装着するための装着器であって、上面には装着時における前記アイシールド用シートの形状に対応する湾曲面を有し、両側面には前記２つの貫通孔とスリットに対応する嵌め込み孔を設けた装着台を備えることを特徴とする装着器。
【発明の詳細な説明】
【技術分野】
【０００１】
本発明は、医療従事者等が使用する、顔面の上部を覆うアイシールドの技術に関する。
【背景技術】
【０００２】
医師や看護師等の医療従事者は、手術等の際に顔面の下部にマスクを着用し、患者の血液や体液等の飛散から眼部を保護する必要がある場合には、マスクの上側に顔面の上部を覆うアイシールドを装用する。
【０００３】
アイシールドは、特許文献１や２に記載のアイシールドのように、弾性を有する透明樹脂板からなるシートを何らかの手段でマスクに固定するものが提案されているが、近年では、図１に示される如く樹脂等の弾性を有する略コの字型のフレームにシートを装着し、図２の如くマスクの上から眼鏡のように頭部に装用するものが普及している。
【特許文献１】特開平７−１７８１１７号公開公報
【特許文献２】実用新案登録第３１６００３９号公報
【０００４】
医療現場では、患者から医療従事者への感染予防対策としてマスクやアイシールドの装用が重要とされ、マスクやアイシールドは一般的に都度新しいものを使用し、使用後は廃棄される。特にアイシールドの場合、シートは一回限りのディスポーザブルであり、フレームは消毒して複数回使用される場合が多い。しかし、手術等一刻を争う多忙な医療現場では、フレームへのシートの着脱の手間は医療従事者にとって余計な負担となり、シートの曇りや汚れは視界を低下させる。特にマスクに装着するタイプは、シートの一部が顔面に触れるため装用者にとって圧迫感が強いだけでなく、位置ズレが生じ易く曇りや汚れも付き易いという問題がある。
【０００５】
その点、図１のようなフレーム装着タイプは圧迫感が少なく、位置ズレを生じにくい。しかし、フレームへのシートの装着の際には、図３に示す如くシートの左右に設けた２つの貫通孔にフレームの端部を順次通していく必要があり、手間がかかる上にシートに汚れが付き易いという問題があった。
【発明の開示】
【発明が解決しようとする課題】
【０００６】
本発明は、以上のような従来技術の問題を解決しようとするものであり、具体的には、フレーム装着タイプのアイシールドにおいて、フレームへのシートの着脱の手間を大幅に削減するとともに、シートの表面に汚れを付着させずにフレームに装着できる簡易な装着器を提供することを課題とする。
【課題を解決するための手段】
【０００７】
上記課題の解決のために、請求項１に記載した発明は、アイシールド用フレームに単一枚を着脱可能に取り付けて装用者の顔面の上部を覆う弾性を有する透明樹脂板から成るアイシールド用シートであって、左右両端上縁寄りの左右対称の位置に、それぞれ２つの貫通孔と両貫通孔に跨るスリットとを設けたことを特徴とする。
【０００８】
また、請求項２に記載したアイシールドは、弾性を有する棒状体を装用者の頭部に固定可能な略コの字型に形成してなり、装用者の両こめかみの位置においてそれぞれ前記２つの貫通孔とスリットに嵌合する内側向きの湾曲部を設けたことを特徴とするアイシールド用フレーム（以下、単に「フレーム」と記す。）と、請求項１に記載のアイシールド用シート（以下、単に「シート」と記す。）から構成される。
【０００９】
かかる構成により、本発明に係るアイシールドにおけるフレームへのシートの装着方法は、前記従来のフレーム装着型アイシールド（以下、「従来技術」と記す。）の装着方法とは根本的に異なる。すなわち、従来技術では、フレームの端部をまずシートの２つの貫通孔のうち内側の貫通孔に表面から通し、次に外側の貫通孔に裏面から通すことでシートにフレームを挿通させる。装用者は、片手で２つの貫通孔が裏面で対面するようにシート湾曲させて保持し、もう一方の手でフレームを保持してその端部を２つの貫通孔に挿通させるという作業を左右それぞれについて行い、さらにシートをフレームの前面まで引き寄せるという合計３工程の作業を行うことになる。かかる作業は、特に緊急を要する手術等の際には医療従事者にとって少なからざる負担となるだけでなく、装着作業中にシートの表面に何度も指先で触れることになり、シートが汚れて視界を妨げるおそれも高い。
【００１０】
これに対し、本発明の構成では、装用者がシート全体を湾曲させてフレームの内側に位置させた上で、片側づつスリットをフレームの湾曲部に押し当てるだけで湾曲部がスリットを押し開いてシートに貫入し、そのまま２つの貫通孔にフレームが嵌合して装着が完了する。先行技術のようにフレームの端部を２つの貫通孔に順次挿通させたりシートをフレーム前面まで引き寄せる手間が不要なため、装着作業の効率が大幅に向上するだけでなく、指先で触れる箇所を最小限とできるためシートへの汚れの付着も少なくなる。
【００１１】
請求項３に記載した発明は、請求項１に記載のシートを前記フレームに装着するための装着器であって、上面には装着時における前記シートの形状に対応する湾曲面を有し、両側面には前記２つの貫通孔とスリットに対応する嵌め込み孔を設けた装着台を備えることを特徴とする。
【００１２】
装着時には、装用者は平面状態のシートを装着台の上にセットし、次にフレームの両端を両手で保持してシートの上方から装着台に被せる。フレームに押下されたシートは装着台の湾曲面に密着し、フレームの湾曲部がシートのスリットを押し開きつつ嵌め込み孔に貫入することによりシートのフレームへの装着が完了するので、後はフレームを装着器から取り外せば、そのままアイシールドを装用することができる。
【００１３】
かかる構成によれば、装着台にシートをセットした後は、シングルアクションでフレームへのシートの装着が可能となるので極めて効率的であり、また、装用者はシートの表面に手を触れることなくフレームに装着できるので、シートにはほとんど汚れが付着しない。
【００１４】
また、前述の通り、医療現場ではシートは使い捨てであるため、アイシールドを使用する場所の手の届きやすい位置に保管しておくことが望ましいが、かかる装着器に多数のシートとフレームをストックしておけば、アイシールドのディスペンサーとして使用可能となり便利である。
【発明の効果】
【００１５】
本発明の構成によれば、医療従事者がアイシールドを使用する際に、フレームへのシートの着脱を効率良く、かつシートの表面を汚さずに行うことができる。これにより、多忙な医療現場でのアイシールド使用の徹底が促進され、医療従事者と医療行為の安全性の向上に資するものである。
【発明を実施するための最良の形態】
【００１６】
以下、本発明の実施形態について図面に基づいて説明する。図４は本発明に係るシート２をフレーム１に装着した使用状態のアイシールドの外観を示す斜視図であり、図５はこれを上方から見た平面図である。
【００１７】
図６はフレーム１の斜視図である。フレーム１は、装用者の前額部に位置する前部１０とテンプル部１１から成る略コの字型の棒状体とし、前部１０から屈曲してテンプル部１１に至る装用者の両こめかみの位置に内側向きの湾曲部１２を設けている。フレーム１の材質は弾性と可撓性を有する素材であれば特に限定されないが、使い捨て用としてはプラスティック等の合成樹脂の一体成型がコスト面で好適であり、反復使用の場合は抗菌加工を施した合成樹脂、あるいは熱湯殺菌に耐え得るアルミ、チタン合金等の軽量の金属が好適である。
【００１８】
なお、従来技術のフレーム装着型アイシールド用のフレームは加工コストの観点から断面形状を円形としたものが一般的であるが、装用者の頭部への密着性や装用感の向上、及び装着したシートの安定性の観点から、断面形状を楕円形あるいは略長方形としても良い。
【００１９】
図７は、本実施形態に係るアイシールド用シート２の平面図である。シート２は透明樹脂板２０の一枚板であり、下方中央に鼻梁が当接するブリッジ部の切り込み２１を設け、左右両端の上縁寄りにそれぞれ２つの貫通孔２３と両貫通孔に跨るスリット２４とを設けている。シート２の材質は弾性と可撓性を有する透明樹脂であれば特に限定されないが、コスト面の観点からはＰＥＴ（ポリエチレンテレフタレート）が好適である。なお、シート２の両側部に設けた凹部２２は、後述の眼鏡装着時の装用を想定し、眼鏡のフレームのシート２への干渉を防ぐために設けたものである。
【００２０】
なお、アイシールドはマスクの上から装用される場合が多く、手術室は医療上の理由から比較的高温に維持されており、装用者の息や汗によるシートの曇りが問題となるため、少なくとも顔側となる表面には防曇加工を施すことが望ましい。また、原則として使い捨てであるシートは多数枚を重ねてストックされることが多く相互の摩擦で表面に傷がつきやすいが、１枚づつ個別包装することはコスト高となる。そのため、シートの製造工程において材料シートの段階で両面に薄い樹脂フィルムを貼付したものをトムソン打ち抜きで1枚づつのシートに成形し、フレームへの装着直前に樹脂フィルムを剥がして使用することが好適である。
【００２１】
図８は本実施形態に係るアイシールドのフレーム１にシート２を装着する過程を示す連続図である。（イ）当初、シート２は平面である。（ロ）装着時には、これを湾曲させてフレーム１の内側に入れ、フレーム１の湾曲部１２にシート２のスリット２４を当接させる。（ハ）左右いずれかのスリット２４に湾曲部１２を押し込む。（ニ）湾曲部１２がスリット２４に貫入し、さらに湾曲部１２の両側が２つの貫通孔２３に嵌合してフレーム１にシート２が固定される。反対側も同じ工程でフレーム１にシート２が固定し、装着を完了する。
【００２２】
ところで、アイシールドは眼鏡を常用する医療従事者も使用するため、シート２と眼鏡との干渉が問題となる。図９は眼鏡着用時の装用を考慮したフレーム１の一実施例の平面図である。シート２を装着する左右の湾曲部１２をやや外側に開き気味とすることでシート２の湾曲の度合いを小さ目とするとともに、湾曲部１２の直後方のテンプル部１１には、逆に外側向きの第二の湾曲部１３を設けることにより、シート２の顔側面が眼鏡のヒンジ部と干渉しないようにしている。
【００２３】
次に、図１０以降は本実施形態に係るアイシールド用の装着器３の一実施例を示す図である。図１０は装着器３の正面、図１１はは背面をそれぞれ示す斜視図である。
【００２４】
装着器３は卓上に設置することを想定したもので、基台３１に垂直に取り付けた正面側の基板３０と背面側の支柱３２とを介して装着台３３を設置している。装着台３３は、上面に装着時における前記アイシールド用シートの形状に対応する湾曲面を有し、両側面には前記２つの貫通孔２３とスリット２４に対応する嵌め込み孔３５を設け、基板３０の正面側には複数のフレーム１とシート２をそれぞれ引っ掛けて保持可能な一対のフック３６、３７を備える。また、装着台３３の上面の背面側にはシート２のブリッジ部の切り込み２１に対応する形状の突起３４を設けている。
【００２５】
図１２は、該装着器３を使用してフレーム１にシート２を装着する過程を示す連続図であり、図１３は、装着台３３の嵌め込み孔３５において、フレーム１の湾曲部１２がシート２のスリット２４及び貫通孔２３に嵌合する状態を拡大表示した拡大図である。（イ）装用者は装着器３の正面側に立って、フック３７からシート２を１枚取得し、装着台３３の上面に上端を手前側として平面のまま載せる。この際、前記ブリッジ部の切り込み２１を前記突起３４に嵌め込むことにより、シート２は所定の位置にセットされる。（ロ）次に、装用者は、フック３６からフレーム１を１本取得し、そのテンプル部１１の末端を両手で開きながらシート２の上方から装着台３３に被せる。（ハ）その状態でテンプル部１１の弾性反発に従い末端を閉じさせていくと、フレーム１に押下されたシート２は装着台３３の湾曲面に密着する。この際、フレーム１の湾曲部１２がシート２のスリット２４を押し開きつつ装着台３３の嵌め込み孔３５に貫入し、さらに湾曲部１２の両側が２つの貫通孔２３に嵌合してフレーム１にシート２が固定される、装着が完了する。（ニ）最後に、テンプル部１１の末端を持ってシート２を装着済みのアイシールドを装着台３３から取り外せば、そのままの挙動でアイシールドを頭部に装用することができる。なお、シート２の両面の保護フィルム（図示せず。）はセットする直前に剥がしておく。
【００２６】
装着器３を使用すれば、装用者はシート２を装着台３３にセットしてからフレーム１を手にした後は、一度もシート２に手を触れることなくシングルアクションでフレーム１への装着を完了でき、かつ、そのままの挙動でアイシールドを装用することができる。そのため、医療従事者は手術中等の多忙な状況でも、最小限の動作で迅速にアイシールドの装用やシート２の交換が可能となり、しかも、シート２を汚す可能性が小さいため視界を最良の状態に維持できるのである。
【００２７】
以上、本発明に係るアイシールド用のシート及びフレーム、アイシールド用フレーム、並びに装着器の具体的な構成について説明したが、本発明は上記実施形態に限定されるものではなく、本発明の技術的思想の範囲内において改良または改変が可能であり、それらは本発明の技術的範囲に属するものである。
【産業上の利用可能性】
【００２８】
本発明は、主に医療従事者が医療現場で使用する感染防止対策用のアイシールドへの適用を想定したものであるが、有害な化学物質や粉塵等から眼や顔面を守る必要のある各種作業用のアイシールドにも利用可能である。また、シートにＵＶカット素材を用いることで、顔面を紫外線から守る簡易な日焼け防止用フェイスガードにも利用可能である。
【図面の簡単な説明】
【００２９】
【図１】従来のアイシールドの例
【図２】従来のアイシールドのシート装用状態
【図３】本発明に係るアイシールドの装着方法
【図４】実施形態に係るアイシールドの斜視図
【図５】実施形態に係るアイシールドの平面図
【図６】実施形態に係るフレームの斜視図
【図７】実施形態に係るシートの平面図
【図８】実施形態に係るシートのフレームへの装着過程を示す連続図
【図９】眼鏡装着時用のフレームの平面図
【図１０】実施形態に係る装着器の正面斜視図
【図１１】実施形態に係る装着器の背面斜視図
【図１２】実施形態に係る装着器によるシートのフレームへの装着過程を示す連続図
【図１３】実施形態に係る装着器によるシートのフレームへの装着過程を示す拡大図
【符号の説明】
【００３０】
１    フレーム
１０  前部
１１  テンプル部
１２  湾曲部
１３  第二の湾曲部
２    シート
２０  透明樹脂板
２１  ブリッジ部の切り込み
２２  凹部
２３  貫通孔
２４  スリット
３    装着器
３０  基板
３１  基台
３２  支柱
３３  装着台
３４  突起
３５  嵌め込み孔
３６  フック（フレーム保持用）
３７  フック（シート保持用
【要約】      （修正有）【課題】フレーム装着タイプのアイシールドにおいて、フレームへのシートの着脱の手間を大幅に削減するとともに、シートの表面に汚れを付着させずにフレームに装着できる簡易な装着器を提供する。【解決手段】弾性を有する透明樹脂板から成るアイシールド用シート２の左右両側の上縁寄りにはそれぞれ２つの貫通孔と両貫通孔に跨るスリットとを設け、弾性を有する棒状体を装用者の頭部に固定可能な略コの字型に形成してなるアイシールド用シート２には装用者の両こめかみの位置においてそれぞれ前記２つの貫通孔とスリットに嵌合する内側向きの湾曲部を設け、装用者がシート２全体を湾曲させてフレーム１の内側に位置させた上で、片側づつスリットをフレーム１の湾曲部に押し当てるだけで湾曲部がスリットを押し開いてシート２に貫入し、そのまま２つの貫通孔にフレーム1が嵌合して装着が完了するように構成した。【選択図】図４【図１】
0005970145.tif 000002
【図２】
0005970145.tif 000003
【図３】
0005970145.tif 000004
【図４】
0005970145.tif 000005
【図５】
0005970145.tif 000006
【図６】
0005970145.tif 000007
【図７】
0005970145.tif 000008
【図８】
0005970145.tif 000009
【図９】
0005970145.tif 000010
【図１０】
0005970145.tif 000011
【図１１】
0005970145.tif 000012
【図１２】
0005970145.tif 000013
【図１３】
0005970145.tif 000014